(57)【特許請求の範囲】
【請求項１】
端末と基地局とがアプリケーションサポート能力を交渉する方法であって、該方法には、
端末が基地局とセッション交渉を行う場合に、異なるサブタイプの値を採用して各アプリケーションサブタイプを標識し、
端末が基地局とセッション交渉を行う場合に、異なるサブタイプの値を採用してヌルパケットアプリケーションサブタイプ及び代替のエンハンスドマルチフローパケットアプリケーションサブタイプを標識し、
前記代替のエンハンスドマルチフローパケットアプリケーションサブタイプはエンハンスドマルチフローパケットアプリケーションサブタイプが相互運用能力を有することを表明し、
前記ヌルパケットアプリケーションサブタイプはマルチフローパケットアプリケーションサブタイプ、エンハンスドマルチフローパケットアプリケーションサブタイプ及びマルチリンクマルチフローパケットアプリケーションサブタイプがいずれも相互運用能力を有することを表明し、
相互運用能力は高速パケットデータ（HRPD）ネットワックと長期的進化（LTE）ネットワックの相互運用能力を表示する、端末と基地局とがアプリケーションサポート能力を交渉する方法。
【請求項２】
0xFFFDを採用してヌルパケットアプリケーションサブタイプを標識し、0xFFFEを採用して代替のエンハンスドマルチフローパケットアプリケーションサブタイプを標識し、或いは、
0xFFFEを採用してヌルパケットアプリケーションサブタイプを標識し、0xFFFDを採用して代替のエンハンスドマルチフローパケットアプリケーションサブタイプを標識する請求項１に記載の方法。
【請求項３】
端末と基地局とがアプリケーションサポート能力を交渉する方法であって、該方法には、
端末が基地局とセッション交渉を行う場合に、異なるサブタイプの値を採用して各アプリケーションサブタイプを標識し、
端末が基地局とセッション交渉を行う場合に、異なるサブタイプの値を採用して、代替のエンハンスドマルチフローパケットアプリケーションサブタイプ、代替のマルチフローパケットアプリケーションサブタイプ、及び代替のマルチリンクマルチフローパケットアプリケーションサブタイプを標識し、その中に、
前記代替のエンハンスドマルチフローパケットアプリケーションサブタイプはエンハンスドマルチフローパケットアプリケーションサブタイプが相互運用能力を有することを表明し、
前記代替のマルチフローパケットアプリケーションサブタイプはマルチフローパケットアプリケーションサブタイプが相互運用能力を有することを表明し、
前記代替のマルチリンクマルチフローパケットアプリケーションサブタイプはマルチリンクマルチフローパケットアプリケーションサブタイプが相互運用能力を有することを表明し、
相互運用能力は高速パケットデータ（HRPD）ネットワックと長期的進化（LTE）ネットワックの相互運用能力を表示することを含む端末と基地局とがアプリケーションサポート能力を交渉する方法。
【請求項４】
0xFFFE、0xFFFD又は0xFFFCの値の中のいずれか一つを採用して代替のエンハンスドマルチフローパケットアプリケーションサブタイプを標識し、
0xFFFE、0xFFFD又は0xFFFCの値の中のいずれか一つを採用して代替のマルチフローパケットアプリケーションサブタイプを標識するが、代替のマルチフローパケットアプリケーションサブタイプを標識する値は代替のエンハンスドマルチフローパケットアプリケーションサブタイプを標識する値と異なり、
0xFFFE、0xFFFD又は0xFFFCの値の中のいずれか一つを採用して代替のマルチリンクマルチフローパケットアプリケーションサブタイプを標識するが、代替のマルチリンクマルチフローパケットアプリケーションサブタイプを標識する値は、代替のエンハンスドマルチフローパケットアプリケーションサブタイプを標識する値と異なり、及び代替のマルチフローパケットアプリケーションサブタイプを標識する値と異なる請求項３に記載の方法。
【請求項５】
端末と基地局とがアプリケーションサポート能力を交渉するシステムであって、該システムは端末及び基地局を含み、その中に、
前記端末は、基地局とセッション交渉を行う場合に、異なるサブタイプの値を採用して端末がサポートする各アプリケーションサブタイプを標識し、及び/又は基地局に異なるサブタイプの値を採用して標識された、基地局にサポートされる各アプリケーションサブタイプを識別するように設置され、
前記基地局は、端末とセッション交渉を行う場合に、端末に異なるサブタイプの値を採用して標識された、端末にサポートされる各アプリケーションサブタイプを識別し、及び/又は異なるサブタイプの値を採用して、基地局がサポートする各アプリケーションサブタイプを標識するように設置され、
前記端末及び前記基地局は、前記端末が基地局とセッション交渉を行う場合に、異なるサブタイプの値を採用して、ヌルパケットアプリケーションサブタイプ及び代替のエンハンスドマルチフローパケットアプリケーションサブタイプを標識するように設置され、その中に、
前記代替のエンハンスドマルチフローパケットアプリケーションサブタイプはエンハンスドマルチフローパケットアプリケーションサブタイプが相互運用能力を有することを表明し、
前記ヌルパケットアプリケーションサブタイプは、マルチフローパケットアプリケーションサブタイプ、エンハンスドマルチフローパケットアプリケーションサブタイプ及びマルチリンクマルチフローパケットアプリケーションサブタイプがいずれも相互運用能力を有することを表明し、
相互運用能力は高速パケットデータ（HRPD）ネットワックと長期的進化（LTE）ネットワックの相互運用能力を表示する、端末と基地局とがアプリケーションサポート能力を交渉するシステム。
【請求項６】
前記端末及び基地局は0xFFFDを採用してヌルパケットアプリケーションサブタイプを標識し、0xFFFEを採用して代替のエンハンスドマルチフローパケットアプリケーションサブタイプを標識し、或いは、
前記端末及び基地局は0xFFFEを採用してヌルパケットアプリケーションサブタイプを標識し、0xFFFDを採用して代替のエンハンスドマルチフローパケットアプリケーションサブタイプを標識する請求項５に記載のシステム。
【請求項７】
端末と基地局とがアプリケーションサポート能力を交渉するシステムであって、該システムは端末及び基地局を含み、その中に、
前記端末は、基地局とセッション交渉を行う場合に、異なるサブタイプの値を採用して端末がサポートする各アプリケーションサブタイプを標識し、及び/又は基地局に異なるサブタイプの値を採用して標識された、基地局にサポートされる各アプリケーションサブタイプを識別するように設置され、
前記基地局は、端末とセッション交渉を行う場合に、端末に異なるサブタイプの値を採用して標識された、端末にサポートされる各アプリケーションサブタイプを識別し、及び/又は異なるサブタイプの値を採用して、基地局がサポートする各アプリケーションサブタイプを標識するように設置され、
前記端末及び前記基地局は、端末が基地局とセッション交渉を行う場合に、異なるサブタイプの値を採用して、代替のエンハンスドマルチフローパケットアプリケーションサブタイプ、代替のマルチフローパケットアプリケーションサブタイプ、及び代替のマルチリンクマルチフローパケットアプリケーションサブタイプを標識するように設置され、
前記代替のエンハンスドマルチフローパケットアプリケーションサブタイプはエンハンスドマルチフローパケットアプリケーションサブタイプが相互運用能力を有することを表明し、
前記代替のマルチフローパケットアプリケーションサブタイプはマルチフローパケットアプリケーションサブタイプが相互運用能力を有することを表明し、
前記代替のマルチリンクマルチフローパケットアプリケーションサブタイプはマルチリンクマルチフローパケットアプリケーションサブタイプが相互運用能力を有することを表明し、
相互運用能力は高速パケットデータ（HRPD）ネットワックと長期的進化（LTE）ネットワックの相互運用能力を表示する、端末と基地局とがアプリケーションサポート能力を交渉するシステム。
【請求項８】
0xFFFE、0xFFFD又は0xFFFCの値の中のいずれか一つを採用して代替のエンハンスドマルチフローパケットアプリケーションサブタイプを標識し、
0xFFFE、0xFFFD又は0xFFFCの値の中のいずれか一つを採用して代替のマルチフローパケットアプリケーションサブタイプを標識するが、その値は代替のエンハンスドマルチフローパケットアプリケーションサブタイプの値と異なり、
0xFFFE、0xFFFD又は0xFFFCの値の中のいずれか一つを採用して代替のマルチリンクマルチフローパケットアプリケーションサブタイプを標識するが、その値は代替のエンハンスドマルチフローパケットアプリケーションサブタイプ及び代替のマルチフローパケットアプリケーションサブタイプの値と異なる請求項７に記載のシステム。
【発明の詳細な説明】
【技術分野】
【０００１】
本発明は通信分野に関し、特に端末と基地局とがアプリケーションサポート能力を交渉するシステム及び方法に関する。
【背景技術】
【０００２】
符号分割多元接続(Code Division Multiple Access、CDMAと略称する)ネットワークの後続の進化ネットワークと長期的進化(Long Term Evolution、LTEと略称する)ネットワークとの相互運用はネットワークが発展している動向である。ただし、既に商用されているCDMAネットワークからLTEネットワークに進化することは、1つの複雑な代替過程である。そして、該代替過程において1つの長い共存期を存在し、この共存期の期間に、この2種類の無線ネットワークは相互接続することができる。
【０００３】
現在、3GPP2の関連の作業グループはLTE-高速パケットデータ(High Rate Packet Data、HRPD)の相互運用規範C.S0087を制定し、上記2種類のネットワークの相互接続をサポートすることに用いられる。オペレーターが段階的に提出された需求によって、該相互運用規範の制定は2つの段階も経験し、第1段階の成果はC.S0087-0_v1.0バージョンであり、該バージョンは主にアクセス端末がLTEシステムからHRPD RevAシステムまでのアイドル及びアクティブハンドオフをサポートし、第2段階の成果はC.S0087-0_v2.0バージョンであり、該バージョンは上記バージョンに基づいて、アクセス端末がアイドル状態でのHRPDシステムからLTEシステムに再選する機能に対するサポートを強化することを増加し、また、上記LTEとHRPD RevAシステムとの相互運用をサポートするだけでなく、LTEとHRPD RevBシステムとの相互運用機能をさらにサポートする。
【０００４】
C.S0087規範において、端末は相互運用能力を有するコアネットワークに付着することができることを保証するため、無線インタフェースアプリケーション層プロトコルはマルチパケットデータネットワーク(Packet Data Network、PDN)の操作をサポートすることができることを要求し、即ち、端末はそれがサポートされたハイレイヤプロトコル属性の中にそれがProtocolID 0x07へのサポートを標識し、ProtocolID 0x07の定義は別のCDMAスペクトラム拡散システムの管理パラメータプロトコルC.R1001(Gバージョンを参照する)に含まれる。
【０００５】
C.S0087規範1.0バージョンを制定する場合に、主にリアルタイムマルチメディアサービスに対して相互運用の需求を有することが考えられ、このため、サービスネットワークにバインドされたエンハンスドマルチフローパケットアプリケーション(Enhanced Multi-Flow Packet Application bound to the service network)サブタイプ(以下、エンハンスドマルチフローパケットアプリケーションサブタイプ、即ちEMPAと略称し、対応するサブタイプの値は0x0009である)のみを増強し、端末は基地局と端末がサポートされたフロープロトコルパラメータPP(AT Supported Flow Protocol Parameters PP)の属性を交渉することを要求する場合に、端末は該属性の中にそれがProtocolID 0x07へのサポートを標識すべきである。
【０００６】
同様にエンハンスドマルチフローパケットアプリケーションサブタイプをサポートできる普通のHRPD端末及び同時に相互運用をサポートできるHRPD端末(eHRPD端末と略称する)について、それらはいずれもセッション交渉の最初に、端末がサポートするアプリケーションサブタイプ(AT Supported Application Subtypes)の属性の中にエンハンスドマルチフローパケットアプリケーションサブタイプを含み、基地局が上記2種類の能力の相異を区別する能力があることを保証する端末であり、C.R1001規範はeHRPDのための代替の新たなエンハンスドマルチフローパケットアプリケーション(Alternate Enhanced Multi-Flow Packet Application for eHRPD)サブタイプ(以下、代替のエンハンスドマルチフローパケットアプリケーションサブタイプと略称し、対応するサブタイプの値は0xFFFEである)を定義し、端末がエンハンスドマルチフローパケットアプリケーションサブタイプをサポートすること以外に、代替のエンハンスドマルチフローパケットアプリケーションサブタイプもサポートすることを送信する場合に、端末がサポートされたエンハンスドマルチフローパケットアプリケーションサブタイプは相互運用機能をサポートする可能になり、即ちマルチPDNの操作をサポートすることを表明する。
【０００７】
後にC.S0087規範2.0バージョンを制定する場合に、HRPD RevBバージョンをサポートし、及びHRPD RevAバージョンへのサポートをさらに完全にするために、サービスネットワークにバインドされたマルチフローパケットアプリケーション(Multi-Flow Packet Application subtype bound to the service network)サブタイプ(以下、マルチフローパケットアプリケーションサブタイプ、即ちMPAと略称し、対応するサブタイプの値は0x0005である)、及びサービスネットワークにバインドされたマルチリンクマルチフローパケットアプリケーション(Multi-link Multi-Flow Packet Application bound to the service network)サブタイプ(以下、マルチリンクマルチフローパケットアプリケーションサブタイプ、即ちMLMPAと略称し、対応するサブタイプの値は0x000Dである)を同様な増強を行い、即ち、MPAに対して、端末は基地局とサポートされたハイレイヤプロトコル(Supported  Higher  Layer  Protocols)の属性を交渉することを要求する場合に、端末は該属性の中にそれがProtocol ID 0x07へのサポートを標識すべきであり、MLMPAに対して、端末は基地局と端末がサポートされたフロープロトコルパラメータPP(Supported Flow Protocol Parameters PP)の属性を交渉することを要求する場合に、端末は該属性の中にそれがProtocol ID 0x07へのサポートを標識すべきである。
【０００８】
以上のように、基地局が上記アプリケーションサブタイプをサポートできる普通のHRPD端末、及び同時に相互運用をサポートできるeHRPD端末を区別する能力があることを保証するために、C.R1001規範がeHRPDのための1つの新たなヌルパケットアプリケーションサブタイプ(eHRPD Support NULL Packet Application subtype、以下、ヌルパケットアプリケーションサブタイプと略称し、対応するサブタイプの値は0xFFFEである)を定義することを要求し、端末は基地局と端末がサポートされたアプリケーションサブタイプ(AT Supported Application Subtypes)の属性を交渉する場合に、該アプリケーションサブタイプを含むべきであり、主に、端末がサポートされたマルチフローパケットアプリケーションサブタイプ、エンハンスドマルチフローパケットアプリケーションサブタイプ及びマルチリンクマルチフローパケットアプリケーションサブタイプはいずれも相互運用機能をサポートする可能になることを標識することに用いられ、即ち、マルチPDNの操作をサポートする。
【０００９】
上記のようにプロトコルバージョンの進化を分析することにより、C.S0087-0_v2.0バージョンの中に取り入れられたヌルパケットアプリケーションサブタイプの値がC.S0087-0_v1.0バージョンに取り入れられた代替のエンハンスドマルチフローパケットアプリケーションサブタイプの値を再利用することがはっきり見られる。本出願発明は、上記実施形態が互換性の問題を取り入れる可能性があることを発見する。例えば、C.S0087-0_v1.0バージョンをサポートするものがC.S0087-0_v2.0バージョンをサポートする基地局にアクセスされる時に、端末は端末がサポートされたアプリケーションサブタイプ(AT Supported Application Subtypes)の属性を交渉する場合に、載せる値は0xFFFEである1つのアプリケーションサブタイプであり、基地局は、端末がサポートされたマルチフローパケットアプリケーションサブタイプ、エンハンスドマルチフローパケットアプリケーションサブタイプ及びマルチリンクマルチフローパケットアプリケーションサブタイプはいずれも相互運用機能をサポートする可能になることを誤って理解する可能性があり、さらに基地局はエンハンスドマルチフローパケットアプリケーションサブタイプ以外の他のアプリケーションサブタイプをサービスフローにバインドして以降の操作を継続することを選択する可能性があり、基地局はこのアプリケーションサブタイプがマルチPDNへのサポートを満たすことができることを本来望んだが、実際には端末はまったくこの能力を持っていない。もし基地局は端末がエンハンスドマルチフローパケットアプリケーションサブタイプへ相互運用機能を提供することのみをサポートすることを分かることができると、基地局はエンハンスドマルチフローパケットアプリケーションサブタイプをサービスフローにバインドして以降の操作を継続することを正確に選択することができる。
【発明の概要】
【発明が解決しようとする課題】
【００１０】
従来の技術に存在する互換性問題を克服するために、本発明は、端末と基地局とがアプリケーションサポート能力を交渉するシステム及び方法を提供することを解決しようとする技術問題とする。
【課題を解決するための手段】
【００１１】
上記問題を解決するために、本発明は端末と基地局とがアプリケーションサポート能力を交渉する方法を提供し、該方法には、
端末が基地局とセッション交渉を行う場合に、異なるサブタイプの値を採用して各アプリケーションサブタイプを標識することを含む。
【００１２】
端末が基地局とセッション交渉を行う場合に、異なるサブタイプの値を採用してヌルパケットアプリケーションサブタイプ及び代替のエンハンスドマルチフローパケットアプリケーションサブタイプを標識し、
前記代替のエンハンスドマルチフローパケットアプリケーションサブタイプはエンハンスドマルチフローパケットアプリケーションサブタイプが相互運用能力を有することを表明し、
前記ヌルパケットアプリケーションサブタイプはマルチフローパケットアプリケーションサブタイプ、エンハンスドマルチフローパケットアプリケーションサブタイプ及びマルチリンクマルチフローパケットアプリケーションサブタイプがいずれも相互運用能力を有することを表明する。
【００１３】
0xFFFDを採用してヌルパケットアプリケーションサブタイプを標識し、0xFFFEを採用して代替のエンハンスドマルチフローパケットアプリケーションサブタイプを標識し、或いは、
0xFFFEを採用してヌルパケットアプリケーションサブタイプを標識し、0xFFFDを採用して代替のエンハンスドマルチフローパケットアプリケーションサブタイプを標識する。
【００１４】
端末が基地局とセッション交渉を行う場合に、異なるサブタイプの値を採用して以下のアプリケーションサブタイプ、
代替のエンハンスドマルチフローパケットアプリケーションサブタイプ、代替のマルチフローパケットアプリケーションサブタイプ、及び代替のマルチリンクマルチフローパケットアプリケーションサブタイプを標識し、その中に、
前記代替のエンハンスドマルチフローパケットアプリケーションサブタイプはエンハンスドマルチフローパケットアプリケーションサブタイプが相互運用能力を有することを表明し、
前記代替のマルチフローパケットアプリケーションサブタイプはマルチフローパケットアプリケーションサブタイプが相互運用能力を有することを表明することに用いられ、
前記代替のマルチリンクマルチフローパケットアプリケーションサブタイプはマルチリンクマルチフローパケットアプリケーションサブタイプが相互運用能力を有することを表明する。
【００１５】
0xFFFE、0xFFFD又は0xFFFCの値の中のいずれか一つを採用して代替のエンハンスドマルチフローパケットアプリケーションサブタイプを標識し、
0xFFFE、0xFFFD又は0xFFFCの値の中のいずれか一つを採用して代替のマルチフローパケットアプリケーションサブタイプを標識するが、代替のマルチフローパケットアプリケーションサブタイプを標識する値は代替のエンハンスドマルチフローパケットアプリケーションサブタイプを標識する値と異なり、
0xFFFE、0xFFFD又は0xFFFCの値の中のいずれか一つを採用して代替のマルチリンクマルチフローパケットアプリケーションサブタイプを標識するが、代替のマルチリンクマルチフローパケットアプリケーションサブタイプを標識する値は、代替のエンハンスドマルチフローパケットアプリケーションサブタイプを標識する値及び代替のマルチフローパケットアプリケーションサブタイプを標識する値と異なる。
【００１６】
上記問題を解決するために、本発明は端末と基地局とがアプリケーションサポート能力を交渉する方法をさらに提供し、該方法には、
端末が基地局とセッション交渉を行う場合に、異なるサブタイプの値を採用してヌルパケットアプリケーションサブタイプ及び代替のエンハンスドマルチフローパケットアプリケーションサブタイプを標識することを含み、その中に、
前記代替のエンハンスドマルチフローパケットアプリケーションサブタイプはエンハンスドマルチフローパケットアプリケーションサブタイプが相互運用能力を有することを表明し、及び
前記ヌルパケットアプリケーションサブタイプは、マルチフローパケットアプリケーションサブタイプ、エンハンスドマルチフローパケットアプリケーションサブタイプ及びマルチリンクマルチフローパケットアプリケーションサブタイプがいずれも相互運用能力を有することを表明する。
【００１７】
その中に、前記ヌルパケットアプリケーションサブタイプが設置された値は0xFFFDであり、代替のエンハンスドマルチフローパケットアプリケーションサブタイプが設置された値は0xFFFEであり、或いは、
前記ヌルパケットアプリケーションサブタイプが設置された値は0xFFFEであり、代替のエンハンスドマルチフローパケットアプリケーションサブタイプが設置された値は0xFFFDである。
【００１８】
上記問題を解決するために、本発明は端末と基地局とがアプリケーションサポート能力を交渉する方法をさらに提供し、該方法には、
端末が基地局とセッション交渉を行う場合に、異なるサブタイプの値を採用して以下のアプリケーションサブタイプ、
代替のエンハンスドマルチフローパケットアプリケーションサブタイプ、代替のマルチフローパケットアプリケーションサブタイプ、及び代替のマルチリンクマルチフローパケットアプリケーションサブタイプを標識することを含み、その中に、
前記代替のエンハンスドマルチフローパケットアプリケーションサブタイプはエンハンスドマルチフローパケットアプリケーションサブタイプが相互運用能力を有することを表明し、
前記代替のマルチフローパケットアプリケーションサブタイプはマルチフローパケットアプリケーションサブタイプが相互運用能力を有することを表明することに用いられ、及び
前記代替のマルチリンクマルチフローパケットアプリケーションサブタイプはマルチリンクマルチフローパケットアプリケーションサブタイプが相互運用能力を有することを表明する。
【００１９】
0xFFFE、0xFFFD又は0xFFFCの値の中のいずれか一つを採用して代替のエンハンスドマルチフローパケットアプリケーションサブタイプを標識し、
0xFFFE、0xFFFD又は0xFFFCの値の中のいずれか一つを採用して代替のマルチフローパケットアプリケーションサブタイプを標識するが、その値は代替のエンハンスドマルチフローパケットアプリケーションサブタイプの値と異なり、
0xFFFE、0xFFFD又は0xFFFCの値の中のいずれか一つを採用して代替のマルチリンクマルチフローパケットアプリケーションサブタイプを標識するが、その値は代替のエンハンスドマルチフローパケットアプリケーションサブタイプ及び代替のマルチフローパケットアプリケーションサブタイプの値と異なる。
【００２０】
上記問題を解決するために、本発明は端末と基地局がのアプリケーションサポート能力を交渉するシステムをさらに提供し、該システムは端末及び基地局を含み、その中に、
前記端末は、基地局とセッション交渉を行う場合に、異なるサブタイプの値を採用して端末がサポートする各アプリケーションサブタイプを標識し、及び/又は基地局が異なるサブタイプの値を採用し、標識された基地局がサポートする各アプリケーションサブタイプを識別するように設置され、
前記基地局は、端末とセッション交渉を行う場合に、端末が異なるサブタイプの値を採用し、標識された端末がサポートする各アプリケーションサブタイプを識別し、及び/又は異なるサブタイプの値を採用し、基地局がサポートする各アプリケーションサブタイプを識別するように設置される。
【００２１】
前記端末及び前記基地局は、前記端末が基地局とセッション交渉を行う場合に、異なるサブタイプの値を採用し、ヌルパケットアプリケーションサブタイプ及び代替のエンハンスドマルチフローパケットアプリケーションサブタイプを標識するように設置され、その中に、
前記代替のエンハンスドマルチフローパケットアプリケーションサブタイプはエンハンスドマルチフローパケットアプリケーションサブタイプが相互運用能力を有することを表明し、及び
前記ヌルパケットアプリケーションサブタイプは、マルチフローパケットアプリケーションサブタイプ、エンハンスドマルチフローパケットアプリケーションサブタイプ及びマルチリンクマルチフローパケットアプリケーションサブタイプがいずれも相互運用能力を有することを表明する。
【００２２】
前記端末及び基地局は0xFFFDを採用してヌルパケットアプリケーションサブタイプを標識し、0xFFFEを採用して代替のエンハンスドマルチフローパケットアプリケーションサブタイプを標識し、或いは、
前記端末及び基地局は0xFFFEを採用してヌルパケットアプリケーションサブタイプを標識し、0xFFFDを採用して代替のエンハンスドマルチフローパケットアプリケーションサブタイプを標識する。
【００２３】
前記端末及び前記基地局は、端末が基地局とセッション交渉を行う場合に、異なるサブタイプの値を採用して以下のアプリケーションサブタイプ、
代替のエンハンスドマルチフローパケットアプリケーションサブタイプ、代替のマルチフローパケットアプリケーションサブタイプ、及び代替のマルチリンクマルチフローパケットアプリケーションサブタイプを識別するように設置され、
前記代替のエンハンスドマルチフローパケットアプリケーションサブタイプはエンハンスドマルチフローパケットアプリケーションサブタイプが相互運用能力を有することを表明し、
前記代替のマルチフローパケットアプリケーションサブタイプはマルチフローパケットアプリケーションサブタイプが相互運用能力を有することを表明することに用いられ、及び
前記代替のマルチリンクマルチフローパケットアプリケーションサブタイプはマルチリンクマルチフローパケットアプリケーションサブタイプが相互運用能力を有することを表明する。
【００２４】
0xFFFE、0xFFFD又は0xFFFCの値の中のいずれか一つを採用して代替のエンハンスドマルチフローパケットアプリケーションサブタイプを標識し、
0xFFFE、0xFFFD又は0xFFFCの値の中のいずれか一つを採用して代替のマルチフローパケットアプリケーションサブタイプを標識するが、その値は代替のエンハンスドマルチフローパケットアプリケーションサブタイプの値と異なり、
0xFFFE、0xFFFD又は0xFFFCの値の中のいずれか一つを採用して代替のマルチリンクマルチフローパケットアプリケーションサブタイプを標識するが、その値は代替のエンハンスドマルチフローパケットアプリケーションサブタイプ及び代替のマルチフローパケットアプリケーションサブタイプの値と異なる。
【００２５】
上記問題を解決するために、本発明は端末と基地局とがアプリケーションサポート能力を交渉するシステムをさらに提供し、該システムは端末及び基地局を含み、
前記端末は、基地局とセッション交渉を行う場合に、異なる値を採用してヌルパケットアプリケーションサブタイプ及び代替のエンハンスドマルチフローパケットアプリケーションサブタイプを標識し、及び/又は基地局が異なるサブタイプの値を採用し、標識された基地局がサポートする各アプリケーションサブタイプを識別するように設置され、
前記基地局は、端末とセッション交渉を行う場合に、端末が異なる値を採用し、標識されたヌルパケットアプリケーションサブタイプ及び代替のエンハンスドマルチフローパケットアプリケーションサブタイプを識別し、及び/又は異なるサブタイプの値を採用し、標識された基地局がサポートする各アプリケーションサブタイプを識別するように設置され、その中に、
前記代替のエンハンスドマルチフローパケットアプリケーションサブタイプはエンハンスドマルチフローパケットアプリケーションサブタイプが相互運用能力を有することを表明し、及び
前記ヌルパケットアプリケーションサブタイプは、マルチフローパケットアプリケーションサブタイプ、エンハンスドマルチフローパケットアプリケーションサブタイプ及びマルチリンクマルチフローパケットアプリケーションサブタイプがいずれも相互運用能力を有することを表明する。
【００２６】
前記端末及び基地局は0xFFFDを採用してヌルパケットアプリケーションサブタイプを標識し、0xFFFEを採用して代替のエンハンスドマルチフローパケットアプリケーションサブタイプを標識し、或いは、
前記端末及び基地局は0xFFFEを採用してヌルパケットアプリケーションサブタイプを標識し、0xFFFDを採用して代替のエンハンスドマルチフローパケットアプリケーションサブタイプを標識する。
【発明の効果】
【００２７】
以上のように、本発明は端末と基地局とがアプリケーションサポート能力を交渉するシステム及び方法を提供し、端末及び基地局のバージョンにかかわらず、基地局はいずれも端末が送信したアプリケーションサブタイプから、端末がサポートされたアプリケーションサブタイプ及びその能力を正確に識別し、さらにサービスフローをバインドするアプリケーションサブタイプを正確に選択することができる。
【図面の簡単な説明】
【００２８】
【図１】本発明応用実例一のフローチャート
【図２】本発明応用実例二のフローチャート
【図３】本発明応用実例三のフローチャート
【発明を実施するための形態】
【００２９】
上記互換性問題を解決するために、本発明は端末と基地局とがアプリケーションサポート能力を交渉するシステム及び方法を提供し、以下のようなことを含む。
【００３０】
本実施例は端末と基地局とがアプリケーションサポート能力を交渉するシステムを提供し、端末及び基地局を含み、
端末は、基地局とセッション交渉を行う場合に、異なる値を採用して端末がサポートする各アプリケーションサブタイプを識別し、及び/又は基地局が異なるサブタイプの値を採用し、標識された基地局がサポートする各アプリケーションサブタイプを識別するように設置され、
基地局は、端末とセッション交渉を行う場合に、異なる値を採用し、標識された端末がサポートする各アプリケーションサブタイプを識別し、及び/又は異なるサブタイプの値を採用し、基地局がサポートする各アプリケーションサブタイプを標識するように設置される。
【００３１】
具体的には、以下の2種類の形態を採用し、異なる値を採用して異なるアプリケーションサブタイプを標識することを実現することができ、
(A)端末が基地局とセッション交渉を行う場合に、異なるサブタイプの値を採用してヌルパケットアプリケーションサブタイプ及び代替のエンハンスドマルチフローパケットアプリケーションサブタイプを標識し、
代替のエンハンスドマルチフローパケットアプリケーションサブタイプはエンハンスドマルチフローパケットアプリケーションサブタイプが相互運用能力を有することを表明し、
ヌルパケットアプリケーションサブタイプはマルチフローパケットアプリケーションサブタイプ、エンハンスドマルチフローパケットアプリケーションサブタイプ及びマルチリンクマルチフローパケットアプリケーションサブタイプがいずれも相互運用能力を有することを表明する。
【００３２】
端末及び基地局は0xFFFDを採用してヌルパケットアプリケーションサブタイプを標識し、0xFFFEを採用して代替のエンハンスドマルチフローパケットアプリケーションサブタイプを標識し、或いは、
端末及び基地局は0xFFFEを採用してヌルパケットアプリケーションサブタイプを標識し、0xFFFDを採用して代替のエンハンスドマルチフローパケットアプリケーションサブタイプを標識する。
【００３３】
(B)端末が基地局とセッション交渉を行う場合に、異なるサブタイプの値を採用して以下のアプリケーションサブタイプ、
代替のエンハンスドマルチフローパケットアプリケーションサブタイプ、代替のマルチフローパケットアプリケーションサブタイプ、及び代替のマルチリンクマルチフローパケットアプリケーションサブタイプを標識し、
代替のエンハンスドマルチフローパケットアプリケーションサブタイプはエンハンスドマルチフローパケットアプリケーションサブタイプが相互運用能力を有することを表明し、
代替のマルチフローパケットアプリケーションサブタイプはマルチフローパケットアプリケーションサブタイプが相互運用能力を有することを表明することに用いられ、
代替のマルチリンクマルチフローパケットアプリケーションサブタイプはマルチリンクマルチフローパケットアプリケーションサブタイプが相互運用能力を有することを表明する。
【００３４】
0xFFFE、0xFFFD又は0xFFFCの値の中のいずれか一つを採用して代替のエンハンスドマルチフローパケットアプリケーションサブタイプを標識し、
0xFFFE、0xFFFD又は0xFFFCの値の中のいずれか一つを採用して代替のマルチフローパケットアプリケーションサブタイプを標識するが、その値は代替のエンハンスドマルチフローパケットアプリケーションサブタイプの値と異なり、
0xFFFE、0xFFFD又は0xFFFCの値の中のいずれか一つを採用して代替のマルチリンクマルチフローパケットアプリケーションサブタイプを標識するが、その値は代替のエンハンスドマルチフローパケットアプリケーションサブタイプ及び代替のマルチフローパケットアプリケーションサブタイプの値と異なる。
【００３５】
本実施例は端末と基地局とがアプリケーションサポート能力を交渉する方法を提供し、端末が基地局とセッション交渉を行う場合に、異なる値を採用して各アプリケーションサブタイプを標識する。
【００３６】
具体的には、以下の2種類の形態を採用して、異なる値を採用して異なるアプリケーションサブタイプを標識することを実現することができる。
【００３７】
形態一、
C.R1001規範において、C.S0087-0_v2.0バージョンに取り入れられたヌルパケットアプリケーションサブタイプ及びC.S0087-0_v1.0バージョンに取り入れられた代替のエンハンスドマルチフローパケットアプリケーションサブタイプに対して異なるサブタイプの値を設置し、端末はセッションコンフィギュレーションプロトコル(Session Configuration Protocol、SCP)の交渉請求メッセージの中に端末がサポートするアプリケーションサブタイプの属性を携える場合に、異なるサブタイプの値を使用してヌルパケットアプリケーションサブタイプ及び代替のエンハンスドマルチフローパケットアプリケーションサブタイプを標識し、
選択的に、代替のエンハンスドマルチフローパケットアプリケーションサブタイプのサブタイプの値が0xFFFE(又は0xFFFD)に設定され、ヌルパケットアプリケーションサブタイプのサブタイプの値が0xFFFD(又は0xFFFE)に設定される。他の値を使用して上記2種類のアプリケーションサブタイプを標識してもよく、両者の値が異なればよく、本発明は具体的な値を限定しない。
【００３８】
形態二、
C.R1001規範において、C.S0087-0_v2.0バージョンに取り入れられたヌルパケットアプリケーションサブタイプを削除し、元のC.S0087-0_v1.0バージョンに取り入れられた代替のエンハンスドマルチフローパケットアプリケーションサブタイプを保留し、新たな代替のマルチフローパケットアプリケーションサブタイプを増加し、選択的に、それをAlternate Multi-Flow Packet Application for eHRPDに命名することができ、及び新たな代替のマルチリンクマルチフローパケットアプリケーションサブタイプを増加し、選択的に、それをAlternate Multi-link Multi-Flow Packet Application for eHRPDに命名することができ、
代替のエンハンスドマルチフローパケットアプリケーションサブタイプはエンハンスドマルチフローパケットアプリケーションサブタイプが相互運用能力を有することを表明することのみに用いられ、代替のマルチフローパケットアプリケーションサブタイプはマルチフローパケットアプリケーションサブタイプが相互運用能力を有することを表明することのみに用いられ、代替のマルチリンクマルチフローパケットアプリケーションサブタイプはマルチリンクマルチフローパケットアプリケーションサブタイプが相互運用能力を有することを表明することのみに用いられる。
【００３９】
端末はSCP交渉請求メッセージの中に端末がサポートするアプリケーションサブタイプの属性を携え、異なるサブタイプの値を使用し、代替のエンハンスドマルチフローパケットアプリケーションサブタイプ、代替のマルチフローパケットアプリケーションサブタイプ及び代替のマルチリンクマルチフローパケットアプリケーションサブタイプを標識する。
【００４０】
選択的に、0xFFFE、0xFFFD又は0xFFFCの値の中のいずれか一つを使用して代替のエンハンスドマルチフローパケットアプリケーションサブタイプを標識し、
0xFFFE、0xFFFD又は0xFFFCの値の中のいずれかを使用して代替のマルチフローパケットアプリケーションサブタイプを標識するが、その値は代替のエンハンスドマルチフローパケットアプリケーションサブタイプの値と異なり、
0xFFFE、0xFFFD又は0xFFFCの値の中のいずれか一つを使用して代替のマルチリンクマルチフローパケットアプリケーションサブタイプを標識するが、その値は代替のエンハンスドマルチフローパケットアプリケーションサブタイプ及び代替のマルチフローパケットアプリケーションサブタイプの値と異なる。
【００４１】
他の値を使用して上記3種類のアプリケーションサブタイプを標識してもよく、三者の値が互いに異なればよく、本発明は具体的な値を限定しない。
【００４２】
以下、2つの応用実例によって本発明をさらに説明し、この2つの応用実例はいずれも形態一を採用して各アプリケーションサブタイプを標識すると仮定する。
【００４３】
応用実例一
図1に示すように、C.S0087-0_v1.0バージョンをサポートする端末のセッション交渉フロー模式図である。反対側の基地局はC.S0087-0_v1.0バージョンをサポートするものであってもよく、C.S0087-0_v2.0バージョンをサポートするものであってもよい。端末と基地局との間に1セットのパーソナリテー(personality)のみを交渉すると仮定する。
【００４４】
S11-S13、端末は基地局がそれにユニキャストアクセス端末識別子(Unicast access terminal identifier、UATI)を分配することを請求し、端末と基地局との間に1つのセッションを開き、
S14、端末と基地局との間にエアリンクを作成し、セッション交渉を行い始め、
S15、端末が発起したセッション交渉の段階に、端末はSCP交渉請求メッセージの中に端末がサポートするアプリケーションサブタイプ(AT Supported Application Subtypes)の属性を携え、該属性にHRPDの元のアプリケーションサブタイプ(例えば、0x0005、0x0009)を含む以外、代替のエンハンスドマルチフローパケットアプリケーションサブタイプ(0xFFFEを使用して標識すると仮定する)をさらに含み、ATが発起したフローバインディング交渉の段階に、基地局(AN)はもし相互運用をサポートする必要があると、ANは ATが提出したエンハンスドマルチフローパケットアプリケーションサブタイプをサービスフローにバインドすることのみを受け入れる。
【００４５】
S16、端末が発起した全てのプロトコル交渉を完成した後、端末は基地局に交渉完成メッセージを送信し、
S17、ANが発起したセッション交渉の段階に、ANは端末がサポートするアプリケーションサブタイプ(AT Supported Application Subtypes)の属性の中に代替のエンハンスドマルチフローパケットアプリケーションサブタイプを含むことにより、該端末はエンハンスドマルチフローパケットアプリケーションサブタイプが相互運用能力を有することのみをサポートすることを判断し、従って、もしANは相互運用能力を有するアプリケーションサブタイプを使用する必要があると、必ずエンハンスドマルチフローパケットアプリケーションサブタイプをサービスフローにバインドし、
S18、ANが発起した全てのプロトコル交渉を完成した後、基地局は端末に交渉完成メッセージを送信する。
【００４６】
応用実例二
図2に示すように、C.S0087-0_v2.0バージョンをサポートする端末のセッション交渉フロー模式図であり、反対側の基地局は常にC.S0087-0_v2.0バージョンをサポートするものである。端末と基地局との間に1セットのパーソナリテー(personality)のみを交渉すると仮定する。
【００４７】
S21-S23、端末は基地局がそれにUATIを分配することを請求し、端末と基地局との間に1つのセッションを開き、
S24、端末と基地局との間にエアリンクを作成し、セッション交渉を行い始め、
S25、端末が発起した交渉の段階に、端末はSCP交渉請求メッセージの中に端末がサポートするアプリケーションサブタイプ(AT Supported Application Subtypes)の属性を携える必要があり、該属性の中にHRPDの元のアプリケーションサブタイプ(例えば、0x0005、0x0009、0x000D)を含む以外、代替のエンハンスドマルチフローパケットアプリケーションサブタイプ(0xFFFE)及びヌルパケットアプリケーションサブタイプ(0xFFFD)をさらに含み、或いは、該属性の中にHRPDの元のアプリケーションサブタイプ(例えば、0x0005、0x0009、0x000D)を含む以外、ヌルパケットアプリケーションサブタイプ(0xFFFD)をさらに含み、ATが発起したフローバインディング交渉の段階に、ANはもし相互運用をサポートする必要があると、ANは ATが提出されたマルチフローパケットアプリケーションサブタイプ、エンハンスドマルチフローパケットアプリケーションサブタイプ及びマルチリンクマルチフローパケットアプリケーションサブタイプの中のいずれかのパケットアプリケーションサブタイプをサービスフローにバインドすることを受け入れることができる。
【００４８】
S26、端末が発起した全てのプロトコル交渉を完成した後、端末は基地局に交渉完成メッセージを送信し、
S27、ANが発起した交渉の段階に、ANは端末がサポートするアプリケーションサブタイプ(AT Supported Application Subtypes)の属性の中にヌルパケットアプリケーションサブタイプを含むことによって、該端末はマルチフローパケットアプリケーションサブタイプ、エンハンスドマルチフローパケットアプリケーションサブタイプ及びマルチリンクマルチフローパケットアプリケーションサブタイプが相互運用能力を有することをサポートする可能になることを判断し、従って、もしANは相互運用能力を有するアプリケーションサブタイプを使用する必要があると、ANは上記いずれかのパケットアプリケーションサブタイプを選択してサービスフローにバインドする可能になる。
【００４９】
S28、ANが発起した全てのプロトコル交渉を完成した後、基地局は端末に交渉完成メッセージを送信する。
【００５０】
応用実例三
図3に示すように、C.S0087-0_v2.0バージョンをサポートする端末のセッション交渉フロー模式図であり、反対側の基地局は常にC.S0087-0_v2.0バージョンをサポートするものである。端末と基地局との間に1セットのパーソナリテー(personality)のみを交渉すると仮定する。
【００５１】
S31-S33、端末は基地局がそれにUATIを分配することを請求し、端末と基地局との間に1つのセッションを開き、
S34、端末と基地局との間にエアリンクを作成し、セッション交渉を行い始め、
S35、端末が発起した交渉の段階に、端末はSCP交渉請求メッセージの中に端末がサポートするアプリケーションサブタイプ(AT Supported Application Subtypes)の属性を携える必要があり、該属性の中にHRPDの元のアプリケーションサブタイプ(例えば、0x0005、0x0009、0x000D)を含む以外、代替のエンハンスドマルチフローパケットアプリケーションサブタイプ(0xFFFE)，代替のマルチフローパケットアプリケーションサブタイプ(0xFFFD)及び代替のマルチリンクマルチフローパケットアプリケーションサブタイプ(0xFFFC)をさらに含む。ATが発起したフローバインディング交渉の段階に、ANはもし相互運用をサポートする必要があると、ANは ATが提出されたマルチフローパケットアプリケーションサブタイプ、エンハンスドマルチフローパケットアプリケーションサブタイプ及びマルチリンクマルチフローパケットアプリケーションサブタイプの中のいずれかのパケットアプリケーションサブタイプをサービスフローにバインドすることを受け入れることができる。
【００５２】
S36、端末が発起した全てのプロトコル交渉を完成した後、端末は基地局に交渉完成メッセージを送信し、
S37、ANが発起した交渉の段階に、ANは端末がサポートするアプリケーションサブタイプ(AT Supported Application Subtypes)の属性の中に代替のエンハンスドマルチフローパケットアプリケーションサブタイプ(0xFFFE)，代替のマルチフローパケットアプリケーションサブタイプ(0xFFFD)及び代替のマルチリンクマルチフローパケットアプリケーションサブタイプ(0xFFFC)を含むことによって、該端末はマルチフローパケットアプリケーションサブタイプ、エンハンスドマルチフローパケットアプリケーションサブタイプ及びマルチリンクマルチフローパケットアプリケーションサブタイプが相互運用能力を有することをサポートする可能になることを判断し、従って、もしANは相互運用能力を有するアプリケーションサブタイプを使用する必要があると、ANは上記いずれかのパケットアプリケーションサブタイプを選択してサービスフローにバインドする可能になる。
【００５３】
S38、ANが発起した全てのプロトコル交渉を完成した後、基地局は端末に交渉完成メッセージを送信する。
【００５４】
上記形態一は以下のような何種の互換性場合を満たすことができる。
【００５５】
場合一、C.S0087-0_v1.0バージョンを使用する端末は端末がサポートするアプリケーションサブタイプ(AT Supported Application Subtypes)の属性の中に元のアプリケーションサブタイプ及び代替のエンハンスドマルチフローパケットアプリケーションサブタイプ(0xFFFE)を送信する場合に、基地局が使用するのはC.S0087-0_v1.0バージョンにしても、C.S0087-0_v2.0バージョンにしても、基地局は、いずれも該端末がエンハンスドマルチフローパケットアプリケーションサブタイプへ相互運用機能を提供することのみをサポートすることを確かに分かることができ、さらに基地局は相互運用機能を有するアプリケーションサブタイプを使用することが必要である場合に、基地局はエンハンスドマルチフローパケットアプリケーションサブタイプをサービスフローに正確にバインドすることができる。
【００５６】
場合二、C.S0087-0_v2.0バージョンを使用する端末は端末がサポートするアプリケーションサブタイプ(AT Supported Application Subtypes)の属性の中に元のアプリケーションサブタイプ、代替のエンハンスドマルチフローパケットアプリケーションサブタイプ(0xFFFE)及びヌルパケットアプリケーションサブタイプ(0xFFFD)を送信する場合に、もし反対側の基地局はC.S0087-0_v2.0バージョンであると、この時、基地局は該端末がマルチフローパケットアプリケーションサブタイプ、エンハンスドマルチフローパケットアプリケーションサブタイプ、マルチリンクマルチフローパケットアプリケーションサブタイプへ相互運用機能をいずれも提供することをサポートすることを確かに分かることができる。基地局はサービスの需要によって正確なアプリケーションサブタイプを選択してサービスフローにバインドすることができる。
【００５７】
場合三、C.S0087-0_v2.0バージョンを使用する端末は端末がサポートするアプリケーションサブタイプ(AT Supported Application Subtypes)の属性の中に元のアプリケーションサブタイプ、代替のエンハンスドマルチフローパケットアプリケーションサブタイプ(0xFFFE)及びヌルパケットアプリケーションサブタイプ(0xFFFD)を送信する場合に、もし反対側の基地局はC.S0087-0_v1.0バージョンであると、この時、基地局は0xFFFDアプリケーションサブタイプを標識することができないが、基地局は該端末がエンハンスドマルチフローパケットアプリケーションサブタイプへ相互運用機能を提供することをサポートすることを少なくとも分かり、もし基地局は相互運用機能を有するアプリケーションサブタイプを使用する必要があると、基地局は依然としてエンハンスドマルチフローパケットアプリケーションサブタイプを正確に選択してサービスフローにバインドすることができる。
【産業上の利用可能性】
【００５８】
本発明は端末及び基地局のバージョンにかかわらず、基地局はいずれも端末が送信したアプリケーションサブタイプから、端末がサポートされたアプリケーションサブタイプ及びその能力を正確に識別し、さらにサービスフローをバインドするアプリケーションサブタイプを正確に選択する。
【図１】
0005422061.tif 000002
【図２】
0005422061.tif 000003
【図３】
0005422061.tif 000004